(57)【要約】      （修正有）【課題】Ｘ型ハンガーの折り畳み座構造を提供する。【解決手段】内回転部材１０と外回転部材２０が備えられ、内回転部材の嵌設面１１０において、スリーブ１１の両側に互いに対称する同心円槽が設けられ、また、外回転部材は、該槽の嵌設面２１０のスリーブに対応して二つの対角に位置するロック穴２１２が設けられ、そのため、二つのロック金具３０を貫通して内外回転部材を螺合でき、これにより、二つの直管状の足棒が内外回転部材のスリーブに貫通されることにより、枢着して折り畳むことができ、また、ロック金具により、内回転部材の槽に定位された二つの足棒が開かれる時や、折り畳まれる時の角度が固定される。【選択図】図１
0003140976.tif 000002
【実用新案登録請求の範囲】
【請求項１】
外側に、嵌設面のスリーブと９０°になるように、スリーブの内側の管継手から伸ばすＴ形状座体があり、また嵌設面において、スリーブの両側に、二つの互いに対応する同心円の制限槽が設けられ、またスリーブの嵌設面の中心に、径方向貫通孔貫通スリーブが設けられる内回転部材と、
内側に嵌設面スリーブの座体があり、また嵌設面において、スリーブの両側に、それぞれ内回転部材の制限槽に対応するロック穴が設けられ、それに、ロック金具が該二つのロック穴と制限槽に貫通して、内外回転部材を嵌合して結合し、また、該二つのロック穴が二つの制限槽の対角に位置し、そして、嵌設面の中心にも径方向貫通孔貫通スリーブが設けられ、ボルトがそれと内回転部材の中心にある径方向貫通孔に貫通して、内回転部材の内側にある管継手の横レバーに螺合される外回転部材が備えられることを特徴とする、Ｘ型ハンガーの折り畳み座構造。
【請求項２】
該内回転部材の嵌設面に、若干のリング状の凹槽が設けられることを特徴とする、請求項１に記載のＸ型ハンガーの折り畳み座構造。
【請求項３】
該外回転部材の嵌設面に、内回転部材の嵌設面に対応して嵌合する若干のリング状突出が設けられることを特徴とする、請求項１か２に記載のＸ型ハンガーの折り畳み座構造。
【考案の詳細な説明】
【技術分野】
【０００１】
本考案は、ハンガーに関し、特に、Ｘ型ハンガーの折り畳み座構造に関する。
【背景技術】
【０００２】
一般のハンガーは、一つの横方向掛け棒と、二つの、それぞれ横方向掛け棒の両側から下へ垂直的に伸ばす支持棒と、二つの、それぞれ支持棒の底端に連結されるプーリの底座とからなり、横方向掛け棒に衣服が掛けられるが、該底座を折り畳んで収納することができないため、ハンガーを保管や運搬する時、空間を取って不便である。
【考案の開示】
【考案が解決しようとする課題】
【０００３】
本考案の主な目的は、Ｘ型ハンガーの折り畳み座構造を提供し、内回転部材と外回転部材が備えられ、内回転部材の嵌設面において、スリーブの両側に互いに対称する同心円槽が設けられ、また、外回転部材は、該槽の嵌設面のスリーブに対応して、二つの対角に位置するロック穴が設けられ、そのため二つのロック金具を貫通して内外回転部材を螺合でき、これにより二つの直管状の足棒が内外回転部材のスリーブに貫通されることにより、枢着して折り畳むことができ、またロック金具により、内回転部材の槽に定位された二つの足棒が開かれる時や、折り畳まれる時の角度が固定される。
【０００４】
本考案の他の目的は、Ｘ型ハンガーの折り畳み座構造を提供し、二つの足棒が開かれる時や、折り畳まれる時の角度が固定されるだけでなく、二つの単一の直管式側レバーが直接に枢着されて固定され、全体としての強度が優れ、そして構造が簡単で組立てが便利である実用効果等が得られる。
【課題を解決するための手段】
【０００５】
請求項１の考案は、外側に、嵌設面のスリーブと９０°になるようにスリーブの内側の管継手から伸ばすＴ形状座体があり、また、嵌設面において、スリーブの両側に二つの互いに対応する同心円の制限槽が設けられ、また、スリーブの嵌設面の中心に径方向貫通孔貫通スリーブが設けられる内回転部材と、内側に嵌設面スリーブの座体があり、また、嵌設面において、スリーブの両側に、それぞれ内回転部材の制限槽に対応するロック穴が設けられ、それに、ロック金具が該二つのロック穴と制限槽に貫通して、内外回転部材を嵌合して結合し、また、該二つのロック穴が二つの制限槽の対角に位置し、そして、嵌設面の中心にも径方向貫通孔貫通スリーブが設けられ、ボルトがそれと内回転部材の中心にある径方向貫通孔に貫通して、内回転部材の内側にある管継手の横レバーに螺合される外回転部材が備えられることを特徴とする、Ｘ型ハンガーの折り畳み座構造である。
【０００６】
請求項２の考案は、該内回転部材の嵌設面に、若干のリング状の凹槽が設けられることを特徴とする、請求項１に記載のＸ型ハンガーの折り畳み座構造である。
【０００７】
請求項３の考案は、該外回転部材の嵌設面に、内回転部材の嵌設面に対応して嵌合する若干のリング状突出が設けられることを特徴とする、請求項１か２に記載のＸ型ハンガーの折り畳み座構造である。
【考案を実施するための最良の形態】
【０００８】
図１乃至図３を参照しながら、本考案は、Ｘ型ハンガーの折り畳み座構造であり、該折り畳み座１は、主として、内回転部材１０と外回転部材２０とが互いに嵌合されて構成される。
【０００９】
該内回転部材１０は、外側に嵌設面１１０があるスリーブ１１と、スリーブ１１の内側へ垂直的に伸ばす管継手１２とが備えられるＴ形状座体であり、その嵌設面１１０に若干のリング状の凹槽１１１が形成され、また、嵌設面１１０のスリーブ１１の両側に二つの互いに対応して同心円である制限槽１１２が形成され、また、スリーブ１１の嵌設面１１０の中心にスリーブ１１に貫通する径方向貫通孔１１３が設けられる。
【００１０】
該外回転部材２０は、内側に嵌設面２１０があるスリーブ２１の座体であり、その嵌設面２１０に内回転部材１０の嵌設面１１０に対応して嵌合する若干のリング状突出２１１が形成され、また、嵌設面２１０において、スリーブ２１の両側に、それぞれ内回転部材１０の制限槽１１２に対応するロック穴２１２が形成され、ロック金具３０が該二つのロック穴２１２と制限槽１１２に貫通し、内、外回転部材１０、２０を嵌合して結合し、また、該二つのロック穴２１２が二つの制限槽１１２の対角に位置し、これにより、内、外回転部材１０、２０は、二つの制限槽１１２により転動されて適当な千鳥状角度になり、また所定の角度に制限され、また、嵌設面２１０の中心にもスリーブ２１に貫通する径方向貫通孔２１３が形成され、内回転部材１０の中心にある径方向貫通孔１１３と一致してボルト４０が貫通して、内回転部材１０の内側にある管継手１２の横レバー７０に螺着できる。
【００１１】
図２と図３は、本考案のより良い実施例の立体図であり、図から分かるように、本考案は、主として２組の折り畳み座１、１’をハンガーの二つのＸ状に隣接する側棒フレームに位置し、内外回転部材１０、２０のスリーブ１１、２１が、側棒フレームの内外側レバー５０、６０に貫通し、また、内回転部材１０の横方向管継手１２に横レバー７０が嵌設され、そして、内外回転部材１０、２０の中心に位置する径方向貫通孔１１３、２１３に、ボルト４０が内外側レバー５０、６０に貫通してから、横レバー７０の一端に設けられた盲プラグ７１に結合され、これにより、内外回転部材の内外側レバー５０、６０が、該ボルト４０により支点を形成し、また、内外回転部材１０、２０の嵌設面１１、２１が、リング状の若干凹槽１１１により、リング状突出２１１と互いに貼り付くように嵌合して、これにより、内外回転部材１０、２０の間の枢着の安定度も向上され、また、該内回転部材１０の嵌設面１１０を備えるスリーブ１１の両側に、それぞれ互いに対称して、同心円である制限槽１１２が設けられ、そのため、外回転部材２０の相対位置に設けられたロック穴２１２にロック金具３０を貫通して螺合でき、また、該二つのロック穴２１２が二つの制限槽１１２の対角に位置するため、内外側レバー５０、６０がＸ状に開くような角度に固定され、同時に畳んで収納する時の角度を固定する作用が得られる。
【００１２】
本考案によれば、内外回転部材１０、２０の間に、制限槽１１２とロック穴２１２に螺合されたロック金具３０とナット３２にナイロンワッシャが埋め込まれ、ボルト３１とナット３２が結合される時、ボルト３１がナイロンワッシャ内に埋め込まれて脱離し難くなる。
【００１３】
本考案の内外側レバー５０、６０は、単一の直管設計で、該折り畳み座１、１’を嵌設することにより、ハンガーの枢着や畳んで収納することができ、内外側レバー５０、６０がＸ状に開く時、その角度が底端の横方向フレーム網８０によって制限されるだけでなく、該折り畳み座１、１’の枢着角度により制限され、ハンガーが横方向フレーム網８０の脱離により崩れる恐れを防止でき、また、本考案の折り畳み座１、１’が、直接に二つの単一の直管式側レバー５０、６０に貫通して枢着されるため、より良い吊り強度が得られ、そのため本考案のハンガーの折り畳み座１、１’は展開と収納の効果だけでなく、更に、同時に二つの単一の直管式側レバー５０、６０が直接に枢着されて固定され、全体としての強度が優れ、そして構造が簡単で組立てが便利である実用効果等が得られる。
【図面の簡単な説明】
【００１４】
【図１】本考案の立体分解図
【図２】本考案の立体組立て概念図
【図３】本考案が開かれる状態の径方向断面概念図
【図４】本考案が畳まれる状態の径方向断面概念図
【図５】本考案の軸方向断面概念図
【図６】本考案の一実施例の立体外観図
【図７】本考案の一実施例の作動概念図
【符号の説明】
【００１５】
１          折り畳み座
１’        折り畳み座
１０        内回転部材
１１        スリーブ
１１０      嵌設面
１１１      凹槽
１１２      制限槽
１１３      径方向貫通孔
１２        側方向管継手
２０        外回転部材
２１        スリーブ
２１０      嵌設面
２１１      リング状突出
２１２      ロック穴
２１３      径方向貫通孔
３０        ロック金具
３１        ボルト
３２        ナット
４０        ボルト
５０        内側レバー
６０        外側レバー
７０        横レバー
７１        盲プラグ
８０        横方向フレーム網
【図１】
0003140976.tif 000003
【図２】
0003140976.tif 000004
【図３】
0003140976.tif 000005
【図４】
0003140976.tif 000006
【図５】
0003140976.tif 000007
【図６】
0003140976.tif 000008
【図７】
0003140976.tif 000009